(57)【要約】      （修正有）【課題】独楽として遊べるようにした容器の蓋および当該蓋付き容器を提供する。【解決手段】ペットボトル、缶又は瓶のような一般的な容器の注ぎ口の開閉に用いる蓋であって、蓋本体１と、蓋本体１に設けられ、回転軸中心に形成された突起部２と、で主に構成される。蓋本体１の表面は複数の色が施されていてもよい。また、突起部１は、先端が曲面状に形成される方が好ましく、突起部２の大きさの目安は、直径が１ｍｍ以上４ｍｍ以内であり、高さが０．５ｍｍ以上３ｍｍ以内である。【選択図】図１
0003224624.tif 000002
【実用新案登録請求の範囲】
【請求項１】
容器に用いる蓋であって、
前記蓋本体と、
前記蓋本体に設けられ、回転軸中心に形成された突起部と、
を具備することを特徴とする蓋。
【請求項２】
前記蓋本体の表面は複数の色が施されていることを特徴とする請求項１記載の蓋。
【請求項３】
前記突起部は、先端が曲面状に形成されることを特徴とする請求項１又は２記載の蓋。
【請求項４】
前記突起部の大きさは、直径が１ｍｍ以上４ｍｍ以内であることを特徴とする請求項１ないし３記載の蓋
【請求項５】
前記突起物の大きさは、高さが０．５ｍｍ以上３ｍｍ以内であることを特徴とする請求項１ないし４記載の蓋。
【請求項６】
容器と、
前記容器の注ぎ口を開閉する請求項１ないし５のいずれかに記載の蓋とを具備することを特徴とする蓋付き容器。
【考案の詳細な説明】
【技術分野】
【０００１】
本発明は、容器の蓋および当該蓋付き容器に関する。
【背景技術】
【０００２】
従来から、容器には、容器外への内容物の漏洩防止や、容器内への異物の混入防止等の目的で蓋がつけられている（例えば、特許文献１）。
【先行技術文献】
【特許文献】
【０００３】
【特許文献１】特開２００６−８１３７
【考案の開示】
【考案が解決しようとする課題】
【０００４】
しかしながら、当該蓋は、中身の使用後は廃棄されることがほとんどである。
【０００５】
そこで本発明では、独楽として遊べる容器の蓋および当該蓋付き容器を提供することを目的とする。
【課題を解決するための手段】
【０００６】
上記目的を達成するために、本発明の蓋は、容器に用いる蓋であって、前記蓋本体と、前記蓋本体に設けられ、回転軸中心に形成された突起部と、を具備することを特徴とする。
【０００７】
また、前記蓋本体の表面は複数の色が施されている方が好ましい。
【０００８】
また、前記突起部は、先端が曲面状に形成される方が好ましい。
【０００９】
また、前記突起部の大きさは、直径１ｍｍ以上４ｍｍ以内である方が好ましい。
【００１０】
また、前記突起物の大きさは、高さが０．５ｍｍ以上３ｍｍ以内である方が好ましい。
【００１１】
また、本発明の蓋付き容器は、容器と、前記容器の注ぎ口を開閉する上述した本発明の蓋とを具備することを特徴とする。
【考案の効果】
【００１２】
例えばペットボトルの蓋の場合、飲み物を飲みながら蓋を回転させることができ、また、色彩などを楽しむことができる。これにより、勉強や仕事の合間を楽しみながら休むことができ、気分転換や癒しとなる。
【図面の簡単な説明】
【００１３】
【図１】本発明の蓋付き容器を示す斜視図である。
【図２】本発明の蓋を示す（ａ）平面図、（ｂ）側面図である。
【図３】本発明の別の蓋を示す（ａ）平面図、（ｂ）側面図である。
【図４】本発明の別の蓋を示す（ａ）平面図、（ｂ）側面図である。
【考案を実施するための形態】
【００１４】
本発明の蓋および蓋付き容器について、図１〜３を用いて説明する。
【００１５】
本発明の蓋付き容器は、図１に示すように、容器20に本発明の蓋を取り付けたものである。また、本発明の蓋は、蓋本体１と、突起部２によって主に構成される。
【００１６】
容器20とは、ペットボトル、缶又は瓶のように、蓋を取り付けることができる注ぎ口21を有し、液体等の物品の保管および輸送などの際に広く一般的に用いられるものである。
【００１７】
蓋本体１とは、容器20の注ぎ口21を開閉するためのものである。例えば、ペットボトル、缶又は瓶の蓋のように、公知の蓋を意味する。また、蓋本体１には栓のように、容器20の注ぎ口21を開閉するために抜いたり詰めたりするものも含む。蓋本体１はどのような材質のものでもよいが、例えば、樹脂、金属、木材などのように公知の蓋に使用されている材質を用いればよい。
【００１８】
また、蓋本体１の表面は複数の色が施されていてもよい。これにより、独楽として回転させた時に、回転速度による色彩の変化を楽しむことができる。色は、蓋本体の製造時に着色された様々な材料を用いればよい。また、蓋本体１の製造後に様々な色の塗料を塗布したり、様々な色のシール等を貼り付けたりするものでもよい。
【００１９】
突起部２とは、蓋本体１に設けられ、回転軸中心に形成されたものである。突起部２は蓋本体１の回転軸中心であればどの位置に形成してもよいが、蓋としての機能や、衛生上の観点、独楽としての回転性の観点から、図１〜図４に示すように蓋外側上面の中心に形成される方が好ましい。
【００２０】
また、突起部２の大きさは、独楽としての回転性を損なわなければどのような大きさでも良いが、蓋としての性能や使い勝手を損なわないように、直径１ｍｍ以上４ｍｍ以内である方が好ましく、また高さは、０．５ｍｍ以上３ｍｍ以内である方が好ましい。
【００２１】
また、突起部２の形状は蓋本体１を回転させる時の軸となればどのような形状でもよいが、蓋としての機能を損ねないような形状が好ましい。さらには、回転性の観点から、図２に示すようなボール形状、図３に示すような略円錐形状、又は図４に示すような略多角錐形状が望ましい。更に、略円錐形状、略多角錐形状などのように突起部２の先端が尖っている場合には、当該先端で人や物に傷をつける等、怪我や損傷の原因となるおそれがある。したがって、突起部２は、先端を球面のように丸めるなど、曲面状に形成する方が好ましい。
【００２２】
突起部２は蓋本体１と接合できればどのような材質のものでもよく、樹脂、金属、木材などが使用できるが、蓋本体１と同じ材質の方が蓋本体１の製造と同時に製造することができるため好ましい。
【００２３】
本発明の蓋は、従来の方法によって製造された蓋本体１に突起部２を後から接合するものでもよいが、従来の蓋本体１の製造と同時に製造するほうが簡単である。例えば、本発明の蓋を、樹脂を用いて射出成形で製造する場合は、従来の金型の所定位置に突起部２を形成するための凹部を形成しておき、この金型に樹脂を流し込んで製造すればよい。また、本発明の蓋を、金属を用いてプレス加工で製造する場合は、従来の金型の所定位置に突起部２を形成するための凹部を形成しておき、この金型に金属をプレスして製造すればよい。従来の方法によって製造された蓋本体１に突起部２を後から接合する場合には、従来の方法によって製造された蓋本体１に溶着や溶接を用いて接合すればよい。
【００２４】
次に本発明の蓋の使用方法を説明する。
【００２５】
容器を物品の保管や輸送などに使用する際は、本発明の蓋を従来通り容器の入口をふさぐように用いればよい。
【００２６】
また、本発明の蓋を独楽として使用する際には、まず容器から蓋を取る。次に蓋本体の側面を、突起部が下向きになるように指で持つ。そして指をひねって蓋本体を回転させながら離せればよい。この時、蓋に複数の色が施されている場合には回転により色が混ざり、その色彩の変化も楽しむことができる。
【符号の説明】
【００２７】
１  蓋本体
２  突起部
20  容器
【図１】
0003224624.tif 000003
【図２】
0003224624.tif 000004
【図３】
0003224624.tif 000005
【図４】
0003224624.tif 000006